(57)【要約】【課題】本発明は、エアフィルタに対する清掃運転モードと、除去した埃を屋外へ排出する埃排出運転モードの運転時間の短縮化を図り、時間的な制限が緩和されて、エアフィルタ清掃を定期的に実行できるようにした空気調和機の室内機を提供する。【解決手段】吸込口４および吹出口６を備えた室内機本体１内に、吸込口と吹出口を連通する送風路２４が形成され、この送風路中に、エアフィルタ１１と、室内熱交換器８および室内送風機２０が順に配置され、エアフィルタに付着した埃を除去するロールブラシ１３と、除去された埃を収容する埃受通路１４を備えたエアフィルタ清掃装置Ａが配置され、埃受通路に収容された埃を空気とともに屋外へ排出する排気装置Ｄが配置され、制御装置Ｓはエアフィルタ清掃装置によるエアフィルタ清掃運転と、排気装置による埃排出運転とを独立して実行する。【選択図】      図１
2008057832.tif 000002
【特許請求の範囲】
【請求項１】
室内機本体の空気吸込口と吹出口を連通する送風路に、エアフィルタ、室内熱交換器および室内送風機が順に配置された空気調和機の室内機において、
上記エアフィルタに付着した埃を除去する埃除去部材と、この埃除去部材により除去された埃を収容する埃収容部を備えたエアフィルタ清掃装置と、
このエアフィルタ清掃装置の埃収容部に連通し、埃収容部に収容された埃を空気とともに屋外へ排出する排気装置と、
上記エアフィルタ清掃装置によるエアフィルタ清掃運転および上記排気装置による埃排出運転を実行させる制御装置と、を備え、
上記制御装置は、上記エアフィルタ清掃運転と、上記埃排出運転とを独立して実行するように構成されることを特徴とする空気調和機の室内機。
【請求項２】
上記制御装置は、
上記エアフィルタ清掃装置によるエアフィルタ清掃運転を、冷暖房運転等のエアコン運転モードの開始時に行い、
上記排気装置による埃排出運転の実行を、前記エアコン運転停止後に行うよう制御することを特徴とする請求項１記載の空気調和機の室内機。
【請求項３】
上記制御装置は、
上記エアフィルタ清掃装置によるエアフィルタ清掃運転を、冷暖房運転等のエアコン運転モードの終了後に行い、
上記排気装置による埃排出運転の実行を、前記エアコン運転の開始時に行うよう制御することを特徴とする請求項１記載の空気調和機の室内機。
【請求項４】
上記吸込口に可動パネルを開閉可能に備えるとともに、上記吹出口に吹出しルーバーを開閉可能に備え、
上記制御装置は、上記エアフィルタ清掃装置によるエアフィルタ清掃運転を、冷暖房運転等のエアコン運転モードの運転中に、上記吸込口と吹出口を可動パネルと吹出しルーバーで閉成したうえで行うよう制御することを特徴とする請求項１記載の空気調和機の室内機。
【請求項５】
上記制御装置は、エアフィルタ清掃装置によるエアフィルタ清掃運転において、上記室内送風機の回転数を、通常の冷暖房運転等のエアコン運転モードにおいて設定される室内送風機の回転数よりも低く抑えるよう制御することを特徴とする請求項４記載の空気調和機の室内機。
【発明の詳細な説明】
【技術分野】
【０００１】
本発明は、エアフィルタ清掃機能を備えた空気調和機の室内機に関する。
【背景技術】
【０００２】
一般的に多用される空気調和機の室内機は、いわゆる壁掛け式と呼ばれていて、部屋の壁面高所に取付けられる。筐体である本体内に収容される室内熱交換器の前面側にはエアフィルタが備えられ、本体内に吸込まれた室内空気を濾過し、清浄空気のみを室内熱交換器に導くようになっている。  
濾過された埃はエアフィルタに残り、長期の使用に亘ればエアフィルタの表面に埃が堆積する。そのまま放置すれば、室内熱交換器に流通する風量が減少し、室内熱交換器の熱交換効率が低下してしまう。そこで、ユーザーは適宜間隔でエアフィルタを取外し、付着堆積している埃を除去する必要がある。
【０００３】
しかしながら、室内機自体が部屋の高所にあるために、たとえば高齢者や女性等のユーザーにとってはエアフィルタの着脱作業自体が困難をともなう。したがって、長期に亘ってエアフィルタに埃を付着させたままになり易い。  
そこで、近年、埃を自動的に除去するエアフィルタ自動清掃装置を備えた空気調和機が提供されるようになった。たとえば、［特許文献１］には、室内機筐体内に、内部空気の一部を屋外へ排出する排気手段を設け、この排気手段の排気径路上にフィルタに付着した埃を回収する回収箱を設けて、フィルタに付着した埃を自動的に回収し、回収した埃を排気手段によって屋外へ廃棄する技術が開示されている。
【特許文献１】特開２００４−１３８３２９号公報
【発明の開示】
【発明が解決しようとする課題】
【０００４】
上述の［特許文献１］によれば、エアフィルタに対する埃の除去・清掃動作から、除去した埃を収集したあと屋外へ排出する動作までが継続して実施されるようになっているため、ユーザーはエアフィルタ清掃に対する手間から解放される。  
しかしながら、このエアフィルタの自動清掃運転は、空気調和機の運転が所定時間経過し、フィルタ清掃が必要となった時点で行われる。具体的には、通常空気調和機の冷暖房運転等が終了した後に、エアフィルタに対する清掃動作開始から、除去した埃の屋外排出までの動作が実施される。
【０００５】
そのため、清掃運転時間が長くなり、エアフィルタ清掃を実施する時間帯が限定される。たとえば、夜間の就寝時間帯は騒音の問題で規制される一方で、昼間の空調運転中は、空調運転を長時間休止することができないなど、エアフィルタの清掃を適切な所定の間隔で実行することができないといった課題が生じていた。  
本発明は上記事情にもとづきなされたものであり、その目的とするところは、エアフィルタに対する清掃運転モードと、エアフィルタから除去した埃を屋外へ排出する埃排出運転モードとを分離して実施する制御をなすことで、それぞれの運転時間の短縮化を図り、時間的な制限が緩和されて清掃時期の間隔のばらつきを抑え、エアフィルタ清掃を自動的に完全実行できる空気調和機の室内機を提供しようとするものである。
【課題を解決するための手段】
【０００６】
上記目的を満足するため本発明の空気調和機の室内機は、室内機本体の空気吸込口と吹出口を連通する送風路に、エアフィルタ、室内熱交換器および室内送風機が順に配置され、エアフィルタに付着した埃を除去する埃除去部材と、この埃除去部材により除去された埃を収容する埃収容部を備えたエアフィルタ清掃装置と、このエアフィルタ清掃装置の埃収容部に連通し、埃収容部に収容された埃を空気とともに屋外へ排出する排気装置と、エアフィルタ清掃装置によるエアフィルタ清掃運転および排気装置による埃排出運転を実行させる制御装置とを備え、制御装置は、エアフィルタ清掃運転と、埃排出運転とを独立して実行するように構成される。
【発明の効果】
【０００７】
本発明によれば、エアフィルタに対する清掃運転と、エアフィルタから除去した埃を屋外へ排出する埃排出運転の、それぞれの運転時間の短縮化を図り、時間的な制限を緩和して、エアフィルタ清掃を自動的に完全実行できる効果を奏する。
【発明を実施するための最良の形態】
【０００８】
以下、図面を参照しながら、本発明の実施の形態について詳細に説明する。  
図１は空気調和機の室内機に係る概略の縦断面図、図２は前面パネル２を外した状態での室内機本体１の正面図である。（なお、説明中に符号を付していない部品は図示していない。以下同じ）  
室内機本体１は、前側筐体を構成する前面パネル２と、後板筐体３とから構成され、上下方向に対し幅方向に横長状をなす。室内機本体１の前面側一部に前部吸込口４が開口され、この前部吸込口４に対向する前面パネル２には開閉駆動機構に支持される可動パネル２Ａが嵌め込まれている。
【０００９】
図１に示す空調運転停止時では、上記可動パネル２Ａは前面パネル２の表面に接合して前部吸込口４を閉成する。空調運転時には、手前側に突出して前部吸込口４が室内に対して開放するよう制御される。室内機本体１の上部には、桟によって複数の空間部に仕切られる上部吸込口５が設けられる。  
上記室内機本体１の前面下部に吹出口６が開口され、この吹出口６には２枚の吹出しルーバー７ａ，７ｂが並行して設けられる。これら吹出しルーバー７ａ，７ｂは、冷房運転と暖房運転など、空調運転の種類に応じて最適な回動姿勢をとり、熱交換空気の吹出し方向が設定される。
【００１０】
室内機本体１内には、前側熱交換器部８Ａと後側熱交換器部８Ｂとで略逆Ｖ字状に形成される室内熱交換器８が配置される。前側熱交換器部８Ａは前面パネル２と間隙を存してほぼ平行な湾曲状に形成され、前部吸込口４と上部吸込口５一部に対向する。後側熱交換器部８Ｂは直状に形成され、上部吸込口５一部と斜めに傾斜して対向する。  
前面パネル２と室内熱交換器８との間に枠体組立て１０が設けられる。前部吸込口４および上部吸込口５と、前側熱交換器部８Ａおよび後側熱交換器部８Ｂとの間に、エアフィルタ１１を構成する前部エアフィルタ１１Ａと上部エアフィルタ１１Ｂが介在し、それぞれが枠体組立て１０に対して移動自在に支持される。
【００１１】
枠体組立て１０における前部エアフィルタ１１Ａ上端と上部エアフィルタ１１Ｂ前端との間に、エアフィルタ清掃装置Ａが配置される。エアフィルタ清掃装置Ａは、前部エアフィルタ１１Ａを上部エアフィルタ１１Ｂの上面側に往復移動させ、上部エアフィルタ１１Ｂを前部エアフィルタ１１Ａの前面側に往復移動させる駆動部を備えている。  
さらにエアフィルタ清掃装置Ａは、ダストボックス１２内に、前部エアフィルタ１１Ａと上部エアフィルタ１１Ｂの移動中に各エアフィルタに付着し堆積する埃を除去するロールブラシ（埃除去部材）１３と、除去した埃を収集する埃受通路（埃収容部）１４および、除去した埃がエアフィルタ清掃装置Ａから周辺に飛散しないようダストボックス１２を略密閉状態とするシール機構１５を備えている。
【００１２】
枠体組立て１０には、前側熱交換器部８Ａの前面側で、かつ前部エアフィルタ１１Ａの背面側に位置するよう空気清浄ユニット１７が取付けられる。上記空気清浄ユニット１７は、左右一対の電気集塵機１８，１８と、一方の電気集塵機１８側部に配置される集塵機電源部１９とから構成される。  
各電気集塵機１８は、流通する空気中の埃に電荷を与える荷電側電極と、電荷を与えられた埃を捕捉する集塵側電極を備えている。各電極表面には脱臭剤が塗布され、電気集塵機として集塵機能と脱臭機能を併せ有する。そして、電気集塵機１８は室内空気が導かれない状態では、オゾンを発生する機能を備えたオゾン発生装置でもある。
【００１３】
側面視で傘状に形成される上記室内熱交換器８の前、後側熱交換器部８Ａ，８Ｂ相互間に、室内送風機２０が配置される。室内送風機２０は、室内機本体１の一側端のスペースに配置されるファンモータと、このファンモータの回転軸に一方の支軸が連結される横流ファン（クロスフローファン）とから構成される。  
室内送風機２０を駆動することで、室内空気が前、上部吸込口４，５から室内機本体１内に吸込まれ、前、上部エアフィルタ１１Ａ，１１Ｂから空気清浄ユニット１７と室内熱交換器８を流通し、さらに室内送風機２０を介して吹出口６から吹出される送風路２４が形成される。
【００１４】
上記前側熱交換器部８Ａの下端部は前ドレンパン２２ａ上に載り、上記後側熱交換器部８Ｂの下端部は後ドレンパン２２ｂ上に載る。前、後ドレンパン２２ａ，２２ｂは、それぞれの熱交換器部８Ａ，８Ｂから滴下するドレン水を受け、図示しない排水ホースを介して外部に排水できる。  
前後ドレンパン２２ａ，２２ｂの一部側壁外面は室内送風機２０に近接して設けられ、これらで横流ファンに対するノーズを構成している。ノーズとなる前後ドレンパン２２ａ，２２ｂの側壁部分から吹出口６の各辺部との間に亘ってケーシング２３が設けられ、このケーシング２３で囲まれる空間が、ノーズと吹出口６とを連通する上記送風路２４の一部を構成する。
【００１５】
上記室内熱交換器８の一側部（図の右側部）には電気部品箱２５が並置される。この電気部品箱２５内には、リモコンから送られる信号や各種のセンサ類から送られる信号にもとづいて、室内送風機２０、エアフィルタ清掃装置Ａの駆動部、後述する排気装置Ｄの駆動部、可動パネル２Ａと吹出しルーバー７ａ，７ｂの駆動部、他の電動部品を制御する半導体部品および電気部品の集合体である制御装置Ｓが収容されている。  
また、室内熱交換器８の電気部品箱２５とは反対側（図における左側）の側部には、上記排気装置Ｄが設けられている。この排気装置Ｄは上記室内送風機２０を構成する横流ファンの側部に隣設され、この横流ファンの軸心の延長上に軸心を有している。
【００１６】
つぎに、上記排気装置Ｄについて説明する。  
図３は排気装置Ｄとエアフィルタ清掃装置Ａ一部の斜視図である。  
上記排気装置Ｄは、上記エアフィルタ清掃装置Ａが除去した埃と、室内送風機２０を構成する横流ファンが配置される室内熱交換器８の通風二次側の空気と、電気集塵機１８がオゾン発生装置として機能する際に、殺菌した後のオゾンを含んだ汚れた空気を屋外へ排出する機能を備えている。
【００１７】
なお説明すると、上記エアフィルタ清掃装置Ａの一側部には排出ボックス３０が設けられ、この排出ボックス３０と上記排気装置Ｄとは接続ホース３１で連通されている。上記接続ホース３１は全体的に緩やかな曲線をなすよう曲成されていて、内部を導通する埃が途中で詰まらないように配慮されている。  
上記排気装置Ｄは、ファンケーシング３２を備えていて、このファンケーシング３２の周面一部に上記接続ホース３１が接続される口体を備えたダンパケース３３が設けられる。ダンパケース３３内には、上端部が回動自在に支持され、下端部が自由端となっている風力ダンパが設けられる。
【００１８】
上記接続ホース３１内部に所定圧以上の風圧（負圧）が加わると、風力ダンパの自由端は風圧で上方に押され、ダンパケース３３と接続ホース３１の間を開放する。この状態から所定圧以上の風圧が無くなれば、もしくは正圧が加われば、風力ダンパはダンパケース３３と接続ホース３１との間を遮断するようになっている。  
上記ファンケーシング３２内に、モータ３４に連結される多翼型ファンからなる換気ファンが収容される。換気ファンと横流ファンの軸芯は同一の軸上にあり、これらの間に導入口が形成され、かつ換気ダンパが介設される。換気ダンパは、ギヤ機構を介して駆動モータに連結される。
【００１９】
換気ダンパの駆動モータは上記制御装置Ｓに電気的に接続されていて、上記制御装置Ｓからの制御信号に応じて導入口を閉成し排気装置Ｄを略密閉化する、もしくは導入口を開放し室内送風機２０が配置される室内熱交換器８の通風二次側に対して排気装置Ｄを開放する、ことのいずれかを選択して切換え制御されるようになっている。  
また、制御装置Ｓは、所定運転時間経過毎にエアフィルタ清掃のための運転信号を発する手段を有し、この運転信号にもとづき、エアフィルタ清掃運転を実行する手段と、埃排出運転を実行する手段とを備えている。そして、制御装置Ｓは、後述するようにエアフィルタ清掃運転を実行する手段と、埃排出運転を実行する手段を、実際のエアコン運転モードの開始時に行う、もしくは終了後に行うことを切換えての制御が可能である。
【００２０】
上記ファンケーシング３２には排気ダクト３５が接続されていて、この排気ダクト３５は家屋の壁を貫通して開口端部が屋外へ延出される。  
このようにして構成される空気調和機の室内機であって、リモコンの運転スイッチが押されると、制御装置Ｓは空気調和機がエアフィルタの清掃を必要とする所定時間が経過しているか、否かを判断する。所定時間が経過していると判断した場合は、制御装置Ｓは後述する二通りの清掃運転実行モードのうち、いずれか一方を選択して実行する。  
すなわち、第１の清掃運転実行モードを選択した制御装置Ｓは、上記エアフィルタ清掃装置Ａによるエアフィルタ清掃運転を、冷暖房運転等のエアコン運転モードの開始時に行い、上記排気装置Ｄによる埃排出運転の実行を、前記エアコン運転の停止後に行うよう制御する。
【００２１】
また、第２の清掃運転実行モードを選択した制御装置Ｓは、上記エアフィルタ清掃装置Ａによるエアフィルタ清掃運転を、冷暖房運転等のエアコン運転モードの終了後に行い、上記排気装置Ｄによる埃排出運転の実行を、前記エアコン運転の開始時に行うよう制御する。  
つぎに、制御装置Ｓが第１の清掃運転実行モードを選択した場合のフローチャートを、図４にもとづいて説明する。  
ステップＴ１において、リモコンの運転ボタンが押されてエアコンの運転開始信号が制御装置Ｓへ送られる。制御装置Ｓは、ステップＴ２においてエアフィルタ１１の清掃時期であるか否かを判断する。Ｙｅｓである場合は、ステップＴ３に移ってエアフィルタ１１に対する清掃運転が実行される。
【００２２】
具体的には、はじめに上部エアフィルタ１１Ｂがエアフィルタ清掃装置Ａへ送られ、付着していた埃がロールブラシ１３によって掻き落されて埃受通路１４に収容される。上部エアフィルタ１１Ｂは一旦、前部エアフィルタ１１Ａの前面側へ移動したあと、再びエアフィルタ清掃装置Ａに戻され、なお残留する埃が完全に除去される。  
上部エアフィルタ１１Ｂが元の位置に戻り次第、今度は前部エアフィルタ１１Ａがエアフィルタ清掃装置Ａへ送られて、付着していた埃がロールブラシ１３によって掻き落され、埃受通路１４に収容される。この前部エアフィルタ１１Ａも一旦、上部エアフィルタ１１Ｂの上面側に移動したあと、再びエアフィルタ清掃装置Ａに戻され、なお残留する埃が完全に除去される。
【００２３】
前部エアフィルタ１１Ａが元の位置に戻されることで、エアフィルタ１１に対する清掃運転が終了する。このエアフィルタ清掃運転は比較的短時間で終了するので、エアコン運転の開始にあたってユーザーが時間待ちをする感覚を持たせないですむ。  
そして制御装置Ｓは、エアフィルタ清掃運転時において、室内送風機２０を構成する横流ファンの回転数を、通常の冷暖房運転等のエアコン運転モードにおいて設定される横流ファンの回転数よりも低く抑えるよう制御する。そのため、エアフィルタ１１に対する清掃を低騒音環境で行える。
【００２４】
制御装置Ｓは、ステップＴ４においてエアフィルタ１１に対する清掃運転が完了しているか、否かを判断する。ＹｅｓであればステップＴ５に移って、リモコンに選択された冷房・除湿・暖房などの、いずれかのエアコン運転を実行する。なお、上記ステップＴ２においてフィルタ清掃時期がＮｏである場合は、直接、ステップＴ５に移る。  
エアコン運転モードの実施にあたって、可動パネル２Ａは前部吸込口４を開放し、かつ冷房運転と暖房運転の指定に応じて吹出口６に備えられる吹出しルーバー７ａ，７ｂの風向姿勢を設定する。同時に、室内送風機２０が送風作用をなす一方で、室外機の圧縮機が駆動され冷凍サイクル運転が開始される。
【００２５】
室内空気は、前部吸込口４と上部吸込口５から室内機本体１内に吸込まれる。そして、前部エアフィルタ１１Ａと上部エアフィルタ１１Ｂを通過し、室内空気中に含まれる埃が捕捉される。さらに、空気清浄ユニット１７を流通して、より微細な埃が捕捉され、室内熱交換器８に導かれて熱交換作用が行われる。  
熱交換したあとの空気は、横流ファン２１を介して送風路２４を形成するファンケーシング３２に沿って導かれ、吹出口６から吹出しルーバー７ａ，７ｂに案内されて室内へ吹出され、効率のよいエアコン運転を継続する。
【００２６】
このとき、前部エアフィルタ１１Ａと上部エアフィルタ１１Ｂともに、完全に埃が除去されているので、室内熱交換器８へ導かれる室内空気量が充分に確保されて、高い熱交換効率を得られる。  
エアコン運転が開始された後、ステップＴ６に移って、制御装置Ｓはエアコン運転停止信号有りか、否かの判断をなす。リモコンの停止ボタンを押さない限りエアコン運転が継続されＮｏであるから、この場合はステップＴ５に戻る。リモコンの停止ボタンを押すことでＹｅｓとなり、ステップＴ７に移って制御装置Ｓはエアフィルタ清掃を実行したか、否かを確認する。
【００２７】
先に、ステップＴ３においてエアフィルタ清掃が実行され、ステップＴ４においてエアフィルタ清掃運転が完了していることを確認している場合はＹｅｓとなり、ステップＴ８に移って埃排出運転が実行される。  
具体的には、制御装置Ｓは可動パネル２Ａの駆動部へ信号を送って前部吸込口４を閉成するとともに、吹出しルーバー７ａ，７ｂの駆動部へ信号を送って吹出口６を閉成する。予め室内機本体１を略密閉構造化することにより、収集した埃が漏れるのを可能な限り防止する。
【００２８】
先に説明したエアフィルタ清掃運転において、エアフィルタ清掃装置Ａを構成するダストボックス１２内の埃受通路１４にはエアフィルタ１１から除去した埃が収容されているので、制御装置Ｓは排気装置Ｄへ作動信号を送り、エアフィルタ清掃装置Ａから埃を吸引して屋外へ排出する。  
すなわち、上記制御装置Ｓは、室内送風機２０の回転数を通常の冷暖房運転等のエアコン運転モードにおいて設定される室内送風機２０の回転数よりも低く抑えるよう制御する。そのうえで、換気ダンパが回動されて導入口を閉成し、換気ファンが回転駆動されてファンケーシング３２内が負圧状態となる。
【００２９】
この影響でダンパケース３３内も負圧状態となり、風力ダンパは接続ホース３１および排出ボックス３０を開放する。したがって、排気装置Ｄとエアフィルタ清掃装置Ａとが連通状態となる。  
換気ファンの作動により、排出ボックス３０からダストボックス１２内の埃受通路１４に負圧がかかる。埃受通路１４に収集されていた埃は、排出ボックス３０と接続ホース３１およびダンパケース３３を介してファンケーシング３２内に導かれ、さらに排気ダクト３５から屋外へ排出される。  
この埃排出運転は、極く短時間で終了する。ステップＴ９で制御装置Ｓは埃排出運転が終了したか否かを判断する。Ｙｅｓであれば終了に至る。未だ継続していて、ＮｏであればステップＴ８に戻って、埃排出運転が実行される。また、ステップＴ７でエアフィルタ清掃を実行したか、否かの判断がＮｏである場合は、特に埃排出運転を実行する必要が無いので、終了に至る。
【００３０】
このように第１の清掃運転実行モードが設定された制御装置Ｓは、リモコンのエアコン運転スイッチがオンに切換えられる都度、エアフィルタ清掃装置Ａと排気装置Ｄへ作業開始信号を送る。エアコン運転モードの開始時にエアフィルタ清掃装置Ａによるエアフィルタ清掃運転を行い、エアコン運転停止後に排気装置Ｄによる埃排出運転を行う。  
エアフィルタ清掃運転および埃排出運転ともに短時間で終了するので、通常の冷房運転や暖房運転等のエアコン運転に対する支障とはならない。すなわち、空気調和機であるのでエアコン運転が優先され、エアフィルタ清掃運転や埃排出運転はエアコン運転に影響のない範囲で実行される。
【００３１】
つぎに、制御装置Ｓが第２の清掃運転実行モードを選択した場合のフローチャートを、図５にもとづいて説明する。  
ステップＵ１において、リモコンの運転ボタンが押されてエアコンの運転開始信号が制御装置Ｓへ送られる。ステップＵ２において、制御装置Ｓはエアフィルタ清掃を実行したか、否かを確認する。Ｙｅｓの場合はステップＵ３に移って埃排出運転が実行される。  
この埃排出運転の内容は、先に説明した第１の清掃運転実行モードにおけるステップＴ８の埃排出運転実行と全く同一であるので、ここでは新たな説明を省略する。同様に、この埃排出運転は極く短時間で終了する。
【００３２】
制御装置Ｓは、ステップＵ４において埃排出運転が終了したか否かを判断する。ＹｅｓであればステップＵ５に移ってエアコン運転が実行される。Ｎｏであれば、ステップＵ３に戻って埃排出運転が継続される。また、先のステップＵ２においてフィルタ清掃を実施したかの判断がＮｏであれば、ステップＵ５に移ってエアコン運転が実行される。  
制御装置Ｓは、ステップＵ５におけるエアコン運転について、先に説明した第１の清掃運転実行モードにおけるステップＴ５でのエアコン運転と全く同様に制御をなすので、新たな説明は省略する。
【００３３】
エアコン運転が開始された後、ステップＵ６に移って、制御装置Ｓはエアコン運転停止信号有りか、否かの判断をなす。リモコンの停止ボタンを押さない限りエアコン運転が継続されＮｏであるから、この場合はステップＵ５に戻る。リモコンの停止ボタンを押すことでＹｅｓとなり、ステップＵ７に移る。  
ステップＵ７では、エアフィルタ１１の清掃時期であるか否かを判断する。Ｙｅｓである場合は、ステップＵ８に移ってエアフィルタ１１に対する清掃運転が実行される。このエアフィルタ清掃運転も第１の清掃運転実行モードのステップＴ３と同様であるので、新たな説明は省略する。
【００３４】
つぎにステップＵ９に移ってエアフィルタ清掃運転が完了したか否かの判断がなされ、Ｙｅｓであれば終了に至る。Ｎｏの場合は、ステップＵ８に戻ってエアフィルタ清掃運転の実行が継続される。また、ステップＵ７のエアフィルタ清掃時期か否かの判断でＮｏの場合は、終了に至る。  
このようにして、第２の清掃運転実行モードが選択された場合も、制御装置Ｓはリモコンのエアコン運転スイッチがオンに切換えられる都度、排気装置Ｄとエアフィルタ清掃装置Ａへ作業開始信号を送る。エアコン運転モードの開始時に排気装置Ｄによる埃排出運転を行い、エアコン運転停止後にエアフィルタ清掃装置Ａによるエアフィルタ清掃運転を行う。
【００３５】
埃排出運転とエアフィルタ清掃運転は短時間で終了するので、通常の冷房運転や暖房運転等のエアコン運転に対する支障とはならない。空気調和機であるのでエアコン運転が優先され、埃排出運転はエアフィルタ清掃運転はエアコン運転に影響のない範囲で実行されることも変りがなく、エアフィルタ１１に対する自動清掃にともなうわずらわしさである、時間的制約、騒音発生、快適性の欠如、省エネ性の不足等が解消される。  
なお、以上説明した清掃運転実行モードとは別に、エアフィルタ清掃運転はエアコン運転中においても切換え可能である。すなわち、冷房運転や暖房運転中は、室内温度が設定された温度に達して運転休止（サーモオフ）の状態に至る場合があり、このときに、エアフィルタ清掃装置Ａを作動してエアフィルタ清掃運転をなすことは可能である。
【００３６】
上記制御装置Ｓは、前部吸込口４と吹出口６を、可動パネル２Ａと吹出しルーバー７ａ，７ｂで閉成し、かつ室内送風機２０の回転数を、通常の冷暖房運転等のエアコン運転モードにおいて設定される室内送風機２０の回転数よりも低く抑えるよう制御することも変りがない。  
なお、本発明は上述した実施の形態そのままに限定されるものではなく、実施段階ではその要旨を逸脱しない範囲で構成要素を変形して具体化できる。そして、上述した実施の形態に開示されている複数の構成要素の適宜な組合せにより種々の発明を形成できる。
【図面の簡単な説明】
【００３７】
【図１】本発明における一実施の形態に係る、空気調和機室内機の概略断面図。
【図２】同実施の形態に係る、前面パネルを取外した室内機の正面図。
【図３】同実施の形態に係る、エアフィルタ清掃装置の一部と排気装置の外観斜視図。
【図４】同実施の形態に係る、第１の清掃運転実行モードのフローチャート図。
【図５】同実施の形態に係る、第２の清掃運転実行モードのフローチャート図。
【符号の説明】
【００３８】
１…室内機本体、４…前部吸込口、７…吹出口、２４…送風路、１１…エアフィルタ、８…室内熱交換器、２０…室内送風機、１３…ロールブラシ（埃除去部材）、１４…埃受通路（埃収容部）、Ａ…エアフィルタ清掃装置、Ｄ…排気装置、Ｓ…制御装置、２Ａ…可動パネル、７ａ，７ｂ…吹出しルーバー。
【図１】
2008057832.tif 000003
【図２】
2008057832.tif 000004
【図３】
2008057832.tif 000005
【図４】
2008057832.tif 000006
【図５】
2008057832.tif 000007